(57)【要約】【課題】使用するときに載置台が不要で鍵盤本来の鍵タッチ感が得られ、使用しないときにコンパクトに折り畳める鍵盤楽器を提供する。【解決手段】複数の鍵８ａ、１０ａを配列した第１、第２鍵盤部８、１０がそれぞれ設けられた第１、第２鍵盤ケース１、２と、この第１、第２鍵盤ケース１、２の両側に配置された第１、第２側板部材３、４と、第１、第２鍵盤ケース１、２の端部１ａ、２ａ同士を連結する第１ヒンジ部材５と、第１、第２側板部材３、４と第１、第２鍵盤ケース１、２の各端部とを連結する一対の第２ヒンジ部材６、７と、第１、第２鍵盤ケース１、２を水平な状態に押し上げる方向に付勢する少なくとも第１、第２ばね部材２０、２１と、第１、第２鍵盤ケース１、２の端部１ａ、２ａ同士をロックするロック部材２５とを備えた。従って、使用時に載置台が不要で鍵盤本来の鍵タッチ感が得られ、使用しないときに楽器全体をコンパクトに収納できる。【選択図】      図３
2008233887.tif 000002
【特許請求の範囲】
【請求項１】
押鍵操作によって上下方向に回転する複数の鍵が配列されて２つに分割された鍵盤部と、
この２つに分割された鍵盤部がそれぞれ設けられた２つの鍵盤ケースと、
この２つの鍵盤ケースの両側に配置されて前記２つの鍵盤ケースを支持する一対の側板部材と、
前記２つの鍵盤ケースの互いに隣接する端部同士を上下方向に回転可能に連結する第１ヒンジ部材と、
前記一対の側板部材に前記２つの鍵盤ケースの両側に位置する各端部を上下方向に回転可能に連結する一対の第２ヒンジ部材と、
前記第１ヒンジ部材および前記一対の第２ヒンジ部材にそれぞれ対応する複数部分のうち、少なくともいずれかの部分に設けられて前記２つの鍵盤ケースの回転動作に負荷を加えてその回転動作を制動する制動機能部と、
前記２つの鍵盤ケースの互いに隣接する各端部にそれぞれ分離可能に設けられ、前記２つの鍵盤ケースがほぼ水平な状態で配置されたときに、前記２つの鍵盤ケースの互いに隣接する端部同士をロックするロック部材と
を備えたことを特徴とする鍵盤楽器。
【請求項２】
前記制動機構部は、前記第１ヒンジ部材および前記一対の第２ヒンジ部材にそれぞれ対応する複数箇所の全てに設けられていることを特徴とする請求項１に記載の鍵盤楽器。
【請求項３】
前記制動機能部は、前記２つの鍵盤ケースを水平な状態に押し上げる方向に付勢することにより、前記２つの鍵盤ケースの回転動作に負荷を加える付勢部材であることを特徴とする請求項１または２に記載の鍵盤楽器。
【請求項４】
前記制動機能部は、前記第１ヒンジ部材および前記一対の第２ヒンジ部材のうち、少なくともいずれかがダンパ機能を有するトルクヒンジ部を備えた構成であることを特徴とする請求項１に記載の鍵盤楽器。
【請求項５】
前記一対の側板部材には、前記２つの鍵盤ケースを前記一対の側板部材間で折り畳んだときに、前記２つの鍵盤ケースの少なくとも各前面側を覆うカバー部材が設けられていることを特徴とする請求項１〜４のいずれかに記載の鍵盤楽器。
【請求項６】
前記２つの鍵盤ケースにおける互いに隣接する端部同士の各上面には、譜面立て部材が前記各上面に跨った状態で折り畳み可能に取り付けられていることを特徴とする請求項１〜５のいずれかに記載の鍵盤楽器。
【発明の詳細な説明】
【技術分野】
【０００１】
この発明は、電子ピアノなどの折り畳み式の鍵盤楽器に関する。
【背景技術】
【０００２】
従来、鍵盤楽器においては、特許文献１に記載されているように、楽器本体にシートキーボードを折り畳み可能に取り付け、使用しないときにシートキーボードを折り畳んでコンパクトに収納することができるように構成したものがある。
【特許文献１】実開昭６２−４３３９７号
【発明の開示】
【発明が解決しようとする課題】
【０００３】
しかしながら、このような従来の鍵盤楽器では、鍵盤部がシートキーボードであるため、コンパクトに折り畳むことができても、使用するときにシートキーボードを展開して広げるための机などの載置台を用意する必要があり、また押鍵操作時における鍵タッチがキータッチであるため、鍵が上下に回転する鍵盤本来の鍵タッチ感が得られないという問題がある。
【０００４】
この発明が解決しようとする課題は、使用するときに机などの載置台を用意する必要がなく、押鍵操作時に鍵盤本来の鍵タッチ感を得ることができ、使用しないときにコンパクトに折り畳むことができる鍵盤楽器を提供することである。
【課題を解決するための手段】
【０００５】
この発明は、上記課題を解決するために、次のような構成要素を備えている。
請求項１に記載の発明は、押鍵操作によって上下方向に回転する複数の鍵が配列されて２つに分割された鍵盤部と、この２つに分割された鍵盤部がそれぞれ設けられた２つの鍵盤ケースと、この２つの鍵盤ケースの両側に配置されて前記２つの鍵盤ケースを支持する一対の側板部材と、前記２つの鍵盤ケースの互いに隣接する端部同士を上下方向に回転可能に連結する第１ヒンジ部材と、前記一対の側板部材に前記２つの鍵盤ケースの両側に位置する各端部を上下方向に回転可能に連結する一対の第２ヒンジ部材と、前記第１ヒンジ部材および前記一対の第２ヒンジ部材にそれぞれ対応する複数部分のうち、少なくともいずれかの部分に設けられて前記２つの鍵盤ケースの回転動作に負荷を加えてその回転動作を制動する制動機能部と、前記２つの鍵盤ケースの互いに隣接する各端部にそれぞれ分離可能に設けられ、前記２つの鍵盤ケースがほぼ水平な状態で配置されたときに、前記２つの鍵盤ケースの互いに隣接する端部同士をロックするロック部材とを備えたことを特徴とする鍵盤楽器である。
【０００６】
請求項２に記載の発明は、前記制動機構部が、前記第１ヒンジ部材および前記一対の第２ヒンジ部材にそれぞれ対応する複数箇所の全てに設けられていることを特徴とする請求項１に記載の鍵盤楽器である。
【０００７】
請求項３に記載の発明は、前記制動機能部が、前記２つの鍵盤ケースを水平な状態に押し上げる方向に付勢することにより、前記２つの鍵盤ケースの回転動作に負荷を加える付勢部材であることを特徴とする請求項１または２に記載の鍵盤楽器である。
【０００８】
請求項４に記載の発明は、前記制動機能部は、前記第１ヒンジ部材および前記一対の第２ヒンジ部材のうち、少なくともいずれかがダンパ機能を有するトルクヒンジ部を備えた構成であることを特徴とする請求項１に記載の鍵盤楽器である。
【０００９】
請求項５に記載の発明は、前記一対の側板部材に、前記２つの鍵盤ケースを前記一対の側板部材間で折り畳んだときに、前記２つの鍵盤ケースの少なくとも各前面側を覆うカバー部材が設けられていることを特徴とする請求項１〜４のいずれかに記載の鍵盤楽器である。
【００１０】
請求項６に記載の発明は、前記２つの鍵盤ケースにおける互いに隣接する端部同士の各上面に、譜面立て部材が前記各上面に跨った状態で折り畳み可能に取り付けられていることを特徴とする請求項１〜５のいずれかに記載の鍵盤楽器である。
【発明の効果】
【００１１】
この発明によれば、使用するときに、第１、第２ヒンジ部材をそれぞれ回転支点として、２つに分割された鍵盤ケースを一対の側板部材間でそれぞれ回転させながら展開させることにより、机などの載置台を用意する必要がなく、２つの鍵盤ケースを一対の側板部材間に水平な状態で連続させることがきる。これにより、２つの鍵盤ケースにそれぞれ設けられた各鍵盤部を水平な状態に連続させることができるので、各鍵盤部の鍵を押鍵操作して上下に回転させて良好に演奏することができ、これにより鍵が上下に回転する鍵盤本来の鍵タッチ感を得ることができる。
【００１２】
また、使用しないときには、第１、第２ヒンジ部材をそれぞれ回転支点として、２つの鍵盤ケースを一対の側板部材間でそれぞれ回転させて谷折り状態に折り畳むことができると共に、一対の側板部材を互いに接近させて、２つの鍵盤ケースを互いに重ね合せることができ、これにより楽器全体をコンパクトに折り畳むことができる。
【００１３】
この場合、２つに分割された鍵盤ケースを一対の側板部材間でそれぞれ回転させるときには、鍵盤ケースの重量が重くても、制動機能部による制動力により軽い力で安全に押し上げたり押し下げたりすることができる。また、２つの鍵盤ケースが水平な状態に展開したときには、ロック部材で２つの鍵盤ケースの互いに隣接する端部同士をロックすることにより、安全に且つ良好に各鍵盤部に設けられた各鍵を押鍵操作することができる。
【発明を実施するための最良の形態】
【００１４】
（実施形態１）
以下、図１〜図１０を参照して、この発明を適用した鍵盤楽器の実施形態１について説明する。
この鍵盤楽器は、図１および図２に示すように、左右２つに分割された第１、第２鍵盤ケース１、２と、この第１、第２鍵盤ケース１、２の両側に配置されて第１、第２鍵盤ケース１、２を支持する第１、第２側板部材３、４と、第１、第２鍵盤ケース１、２の互いに隣接する端部１ａ、２ａ同士の各上面に跨って配置されて第１、第２鍵盤ケース１、２の端部１ａ、２ａ同士を上下方向に回転可能に連結する第１ヒンジ部材５と、第１、第２側板部材３、４の互いに対向する各内面に第１、第２鍵盤ケース１、２の両側に位置する各端部１ｂ、２ｂを上下方向に回転可能に連結する左右一対の第２ヒンジ部材６、７とを備えている。
【００１５】
この場合、第１鍵盤ケース１は、図１および図２に示すように、横長の箱形状に形成され、その内部に第１鍵盤部８が配置されている。すなわち、第１鍵盤ケース１は、第１、第２側板部材３、４のうち、左側に位置する第１側板部材３に隣接する一端部（図２では左端部）が塞がれ、第２鍵盤ケース２に隣接する他端部（図２では右端部）が開放された構成になっている。また、第１鍵盤部８は、その後部側（図２では上辺側）が第１鍵盤ケース１の後側（図２では上辺側）に位置する上面部９ａで覆われ、第１鍵盤部８の前部側（図２では手前側）が上面側および前面側に露呈した状態で、第１鍵盤ケース１内に配置されている。
【００１６】
この第１鍵盤部８は、図２に示すように、白鍵および黒鍵からなる多数の鍵８ａが横方向（図２では左右方向）に沿って配列され、第２鍵盤ケース２に隣接する一端部（図２では右端部）に位置する鍵８ａが第１鍵盤ケース１の他端部（図２では右端部）に位置すると共に、この鍵８ａの右側面が第１鍵盤ケース１の開放された他端部側（図２では右端部側）から外部に露出するように構成されている。この多数の鍵８ａは、それぞれ各後端部が第１鍵盤ケース１内に上下方向に回転自在に取り付けられ、押鍵操作に応じて各鍵８ａの前部側が上下方向に回転変位するように構成されている。
【００１７】
一方、第２鍵盤ケース２は、図１および図２に示すように、第１鍵盤ケース１と同じ大きさの横長の箱形状に形成され、その内部に第２鍵盤部１０が配置されている。この場合、第２鍵盤ケース２は、第１、第２側板部材３、４のうち、右側に位置する第２側板部材４に隣接する一端部（図２では右端部）が塞がれ、第１鍵盤ケース１に隣接する他端部（図２では左端部）が開放された構成になっている。この場合にも、第２鍵盤部１０は、第１鍵盤部８と同様、その後部側（図２では上辺側）が第２鍵盤ケース２の後側（図２では上辺側）に位置する上面部１１ａで覆われ、第２鍵盤部１０の前部側（図２では手前側）が上面側および前面側に露呈した状態で、第２鍵盤ケース２内に配置されている。
【００１８】
また、この第２鍵盤部１０も、第１鍵盤部８と同様、白鍵および黒鍵からなる多数の鍵１０ａが横方向（図２では左右方向）に沿って配列され、図２に示すように、第１鍵盤ケース１に隣接する左端部に位置する鍵１０ａが第２鍵盤ケース１の他端部（図２では左端部）に位置すると共に、この鍵１０ａの左側面が第２鍵盤ケース２の開放された他端部側（図２では左端部側）から外部に露出するように構成されている。この多数の鍵１０ａも、それぞれ各後端部が第２鍵盤ケース２内に上下方向に回転自在に取り付けられ、押鍵操作に応じて各鍵１０ａの前部側が上下方向に回転変位するように構成されている。
【００１９】
これにより、第１、第２鍵盤部８、１０は、図１および図２に示すように、第１、第２鍵盤ケース１、２が水平な状態に展開して配置されたときに、第１鍵盤部８の右端部に位置して第２鍵盤ケース２側に露呈する鍵８ａの右側面と、第２鍵盤部１０の左端部に位置して第１鍵盤ケース１側に露呈する鍵１０ａの左側面とが互いに接近することにより、第１、第２鍵盤部８、１０の各鍵８ａ、１０ａが全て所定の間隔で規則的に配列されるように構成されている。
【００２０】
第１、第２鍵盤ケース１、２の両側に配置された第１、第２側板部材３、４は、図１および図２に示すように、それぞれ立て方向に長い平板であり、その前後方向（図２では上下方向）の奥行きの長さが第１、第２鍵盤ケース１、２の前後方向の奥行きと同じ長さで、且つその高さが第１、第２鍵盤ケース１、２の横方向（図４では上下方向）の各長さよりも少し長く形成されている。この第１、第２側板部材３、４の各下端部における前後部には、図１に示すように、床上を転動するキャスタ１２がそれぞれ取り付けられている。
【００２１】
また、第１ヒンジ部材５は、図１、図２および図８に示すように、第１、第２鍵盤ケース１、２の互いに隣接する端部１ａ、２ａ同士を回転可能に連結するものであり、第１、第２鍵盤ケース１、２の互いに隣接する各上面９ａ、１１ａのうち、第１鍵盤ケース１の上面９ａに設けられた第１固定板１３と、第２鍵盤ケース２の上面１１ａに設けられた第２固定板１４と、この第１固定板１３および第２固定板１４を回転可能に連結するヒンジ軸１５とを備えている。
【００２２】
この場合、第１鍵盤ケース１の第１固定板１３は、図２および図８に示すように、第２鍵盤ケース２に隣接する端部の両側に、ヒンジ軸１５が挿入する円筒状の一対の軸受け部１３ａが、第１鍵盤ケース１の上面９ａから第２鍵盤ケース２の上面１１ａ側に向けて突出して設けられている。第２鍵盤ケース２の第２固定板１４は、第１鍵盤ケース１に隣接する端部の中間部に、第１固定板１３の一対の軸受け部１３ａ間に配置されてヒンジ軸１５が挿入する円筒状の軸受け部１４ａが、第２鍵盤ケース２の上面１１ａから第１鍵盤ケース１の上面９ａ側に向けて突出して設けられている。
【００２３】
これにより、第１ヒンジ部材５は、図２および図８に示すように、第１鍵盤ケース１の第１固定板１３における一対の軸受け部１３ａ間に第２鍵盤ケース２の第２固定板１４の軸受け部１４ａを同一軸上に配置し、この状態で各軸受け部１３ａ、１４ａ内にヒンジ軸１５を挿入することにより、図８〜図１０に示すように、ヒンジ軸１５を中心として第１、第２鍵盤ケース１、２の互いに隣接する端部１ａ、２ａ同士が相対的に上下方向に回転し、第１、第２鍵盤ケース１、２が図９および図１０に示す谷折り状態に折れ曲がるように構成されている。
【００２４】
一方、一対の第２ヒンジ部材６、７のうち、左側の第２ヒンジ部材６は、図１および図５に示すように、左側に位置する第１側板部材３と左側の第１鍵盤ケース１とを連結するものであり、第１鍵盤ケース１の左端部における下面に設けられたケース固定板１６と、左側の第１側板部材３の内側面における第１鍵盤ケース１の下面に対応する箇所に設けられた側板固定板１７と、このケース固定板１６および側板固定板１７を回転可能に連結するヒンジ軸１８とを備えている。
【００２５】
この場合にも、第１鍵盤ケース１のケース固定板１６には、第１ヒンジ部材５の第１固定板１３と同様、ヒンジ軸１５が挿入する円筒状の一対の軸受け部（図２に示す第１ヒンジ部材５の第１固定板１３の軸受け部１３ａと同じもの）が、第１側板部材３に接近して設けられている。また、第１側板部材３の側板固定板１７には、第１ヒンジ部材５の第２固定板１４と同様、第１鍵盤ケース１の一対の軸受け部間に配置されてヒンジ軸１５が挿入する円筒状の軸受け部（図２に示す第１ヒンジ部材５の第２固定板１４の軸受け部１４ａと同じもの）が、第１鍵盤ケース１の左端部の下面に接近して設けられている。
【００２６】
これにより、左側に位置する第２ヒンジ部材６は、第１ヒンジ部材５と同様、第１鍵盤ケース１のケース固定板１６における一対の軸受け部間に第１側板部材３の側板固定板１７の軸受け部を同一軸上に配置し、この状態で各軸受け部内にヒンジ軸１８を挿入することにより、図５〜図７に示すように、ヒンジ軸１８を中心として第１鍵盤ケース１が第１側板部材３に対し上下方向に回転し、第１鍵盤ケース１を水平な状態に展開させると共に、第１側板部材３に対し山折り状態に折れ曲がるように構成されている。
【００２７】
一方、右側に位置する第２ヒンジ部材７は、右側に位置する第２側板部材４と右側の第２鍵盤ケース２とを回転可能に連結するものであり、左側の第２ヒンジ部材６と同じ構成で、且つ左側の第２ヒンジ部材６に対し左右対象な状態で設けられている。すなわち、この右側の第２ヒンジ部材７も、左側の第２ヒンジ部材６と同様、第２鍵盤ケース２の右端部における下面に設けられたケース固定板１６と、右側の第２側板部材４の内側面における第２鍵盤ケース２の下面に対応する箇所に設けられた側板固定板１７と、このケース固定板１６および側板固定板１７を回転可能に連結するヒンジ軸１８とを備え、ヒンジ軸１８を中心として第１鍵盤ケース１が第１側板部材３に対し上下方向に回転するように構成されている。
【００２８】
ところで、第１鍵盤ケース１と第１側板部材３との間、および第２鍵盤ケース２と第２側板部材４との間には、図５〜図７に示すように、第１、第２鍵盤ケース１、２を水平な状態に押し上げる方向に付勢することにより、一対の第２ヒンジ部材６、７をそれぞれ回転支点とする第１、第２鍵盤ケース１、２の回転動作に負荷を加えて、その回転動作を制動する制動機能部である第１、第２ばね部材２０、２１がそれぞれ設けられている。
【００２９】
すなわち、第１、第２ばね部材２０、２１のうち、左側に位置する第１ばね部材２０は、図５に示すように、その一端部２０ａが第１鍵盤ケース１内の左端部にスライド可能な状態で保持片３ｂによって保持され、他端部２０ｂが左側の第１側板部材３における第１鍵盤ケース１の下側に設けられた凹部３ａ内に固定片３ｃによって固定されているほか、第１鍵盤ケース１内の左端部側に位置するケース側の中間部分に伸縮可能なコイル部２０ｃが設けられていると共に、第１側板部材３の凹部３ａ内における上端部側に位置する側板側の中間部分にも伸縮可能なコイル部２０ｄが設けられた構成になっている。
【００３０】
これにより、第１ばね部材２０は、図５〜図７に示すように、第１鍵盤ケース１側に位置するコイル部２０ｃと第１側板部材３側に位置するコイル部２０ｄとのばね力によって、第１鍵盤ケース１を第１側板部材３に対し水平な状態に押し上げる方向に付勢すると共に、第１鍵盤ケース１が第１側板部材３に対し回転するときに、各コイル部２０ｃ、２０ｄが伸縮することにより、第１鍵盤ケース１がその重量で左側の第２ヒンジ部材６を回転支点として勝手に回転しないように構成されている。
【００３１】
また、右側に位置する第２ばね部材２１は、第２鍵盤ケース２と右側の第２側板部材４とを回転可能に連結するものであり、左側に位置する第１ばね部材２０と同じ構成で、且つ第１ばね部材２０に対し左右対象な状態で設けられている。これにより、右側の第２ばね部材２１も、第２鍵盤ケース２側のコイル部２０ｃと第２側板部材４側のコイル部２０ｄとのばね力によって、第２鍵盤ケース２を第２側板部材４に対し水平な状態に押し上げる方向に付勢すると共に、第２鍵盤ケース２が第２側板部材４に対し回転するときに、各コイル部２０ｃ、２０ｄが伸縮することにより、第２鍵盤ケース２がその重量で右側の第２ヒンジ部材７を回転支点として勝手に回転しないように構成されている。
【００３２】
一方、第１、第２鍵盤ケース１、２の互いに隣接する各端部１ａ、２ａには、図８〜図１０に示すように、第１、第２鍵盤ケース１、２を水平な状態に押し上げる方向に付勢することにより、第１、第２鍵盤ケース１、２の回転動作に負荷を加えて、その回転動作を制動する制動機能部である補助ばね部材２２が設けられている。
【００３３】
この補助ばね部材２２は、図８に示すように、その一端部２２ａが第１鍵盤ケース１内の右端部にスライド可能な状態で保持され、他端部２２ｂが第２鍵盤ケース２内の左端部にスライド可能な状態で保持されているほか、第１鍵盤ケース１内の右端部側に位置する２つの中間部分にそれぞれ伸縮可能なコイル部２２ｃ、２２ｄが設けられた構成になっている。この場合、各コイル部２２ｃ、２２ｄは、そのコイル径の大きさが異なっており、大きい径のコイル部２２ｃは、第２鍵盤ケース２内から突出して設けられた補強板２３の支持軸２４に巻き付けられて位置ずれを起こさないように構成されている。
【００３４】
これにより、補助ばね部材２２は、図８〜図１０に示すように、径の異なる各コイル部２２ｃ、２２ｄのばね力によって、第１、第２鍵盤ケース１、２を水平な状態に押し上げる方向に付勢すると共に、第１、第２鍵盤ケース１、２が第１ヒンジ部材５を回転支点として回転するときに、各コイル部２２ｃ、２２ｄが伸縮することにより、第１、第２鍵盤ケース１、２がその重量で第１ヒンジ部材５を回転支点として勝手に回転するのを、第１、第２ばね部材２０、２１と共に防ぐように構成されている。
【００３５】
また、第１、第２鍵盤ケース１、２の互いに隣接する端部１ａ、２ａ同士の各前面には、図１、図３、図４に示すように、第１、第２鍵盤ケース１、２がほぼ水平な状態に展開して配置されたときに、第１、第２鍵盤ケース１、２の互いに隣接する端部１ａ、２ａ同士を連結固定して第１、第２鍵盤ケース１、２が勝手に折れ曲がるのを防ぐためのロック部材２５が分離可能に設けられている。
【００３６】
すなわち、このロック部材２５は、図３および図４に示すように、第１鍵盤ケース１の前面に設けられた係止突起部２６と、第２鍵盤ケース２の前面に設けられた取付部２７と、この取付部２７に回転可能に取り付けられたフックレバー２８と、このフックレバー２８に取り付けられて第１鍵盤ケース１の係止突起部２６に係脱可能に係合するほぼＵ字形状のフック部２９とを備えている。
【００３７】
これにより、ロック部材２５は、図１に示すように、第１、第２鍵盤ケース１、２が水平な状態に展開して配置されたときに、第１鍵盤ケース１の係止突起部２６と第２鍵盤ケース２の取付部２７とが互いに対応して接近し、この状態で取付部２７に取り付けられたフックレバー２８のフック部２９を係止突起部２６に係合させて、フックレバー２８を第２鍵盤ケース２の右側つまり係止突起部２６と反対側に向けて倒すことにより、フック部２９が係止突起部２６を引き寄せる方向に締め付けて、第１、第２鍵盤ケース１、２の互いに隣接する端部１ａ、２ａ同士をロックするように構成されている。
【００３８】
また、このロック部材２５は、フックレバー２８を係止突起部２６側に向けて起立させると、係止突起部２６に対するフック部２９の締め付けが緩み、この状態でフック部２９を係止突起部２６から離脱させることにより、図３および図４に示すように、係止突起部２６とフック部２９とを分離させて、第１、第２鍵盤ケース１、２の互いに隣接する端部１ａ、２ａ同士のロックを解除するように構成されている。なお、このロック部材２５は、第１、第２鍵盤ケース１、２の互いに隣接する端部１ａ、２ａ同士の各裏面にも、各前面と同様に設けられている。
【００３９】
このような鍵盤楽器によれば、使用するときに、第１ヒンジ部材５および一対の第２ヒンジ部材６、７をそれぞれ回転支点として、２つに分割された第１、第２鍵盤ケース１、２を第１、第２側板部材３、４間でそれぞれ回転させながら展開させることにより、従来例のように机などの載置台を用意する必要がなく、第１、第２側板部材３、４を押し広げて、図１に示すように、第１、第２鍵盤ケース１、２を一対の第１、第２側板部材３、４間に水平な状態で連続させることがきる。
【００４０】
これにより、図２に示すように、第１、第２鍵盤ケース１、２にそれぞれ設けられた第１、第２鍵盤部８、１０を水平な状態に連続させて、各鍵８ａ、１０ａを所定の間隔で規則的に連続させることができるので、第１、第２鍵盤部８、１０の各鍵８ａ、１０ａを押鍵操作して上下に回転させて良好に演奏することができ、これにより鍵８ａ、１０ａが上下に回転する鍵盤本来の鍵タッチ感を得ることができる。
【００４１】
この場合、２つに分割された第１、第２鍵盤ケース１、２を第１、第２側板部材３、４間でそれぞれ回転させるときには、第１、第２ばね部材２０、２１が第１、第２鍵盤ケース１、２を水平な状態に押し上げる方向に付勢しているので、第１、第２鍵盤ケース１、２の重量が重くても、第１、第２ばね部材２０、２１のばね力によって軽い力で安全に押し上げることができる。特に、第１、第２鍵盤ケース１、２の互い隣接する端部１ａ、２ａにも、補助ばね部材２２が設けられていることにより、この補助ばね部材２２が第１、第２鍵盤ケース１、２を水平な状態に押し上げる方向に付勢しているので、より一層、軽い力で安全に押し上げることができる。
【００４２】
また、２つの第１、第２鍵盤ケース１、２が水平な状態で連続したときには、ロック部材２５で第１、第２鍵盤ケース１、２の互いに隣接する端部１ａ、２ａ同士をロックすることができるので、安全に且つ良好に第１、第２鍵盤部８、９の各鍵８ａ、１１ａを押鍵操作することができる。すなわち、このロック部材２５は、図１に示すように、第１、第２鍵盤ケース１、２が水平な状態に配置されたときに、第２鍵盤ケース２の取付部２７に取り付けられたフックレバー２８のフック部２９を第１鍵盤ケース１の係止突起部２６に係合させて、フックレバー２８を係止突起部２６と反対側に向けて倒すと、フック部２９が係止突起部２６を引き寄せる方向に締め付けるので、第１、第２鍵盤ケース１、２の互いに隣接する端部１ａ、２ａ同士を簡単に且つ確実にロックすることができる。
【００４３】
一方、鍵盤楽器を使用しないときには、ロック部材２５による第１、第２鍵盤ケース１、２の隣接する端部１ａ、２ａ同士のロックを解除した状態で、第１、第２ばね部材２０、２１によるばね力に抗して第１、第２鍵盤ケース１、２の隣接する端部１ａ、２ａを押し下げることにより、図３に示すように、第１ヒンジ部材５および一対の第２ヒンジ部材６、７をそれぞれ回転支点として、第１、第２鍵盤ケース１、２を第１、第２側板部材３、４間でそれぞれ回転させて谷折り状態に折り畳むことができると共に、第１、第２側板部材３、４を互いに接近させ、図４に示すように、第１、第２鍵盤ケース１、２を互いに重ね合せることができ、これにより楽器全体をコンパクトに折り畳むことができる。
【００４４】
このときにも、第１、第２ばね部材２０、２１が第１、第２鍵盤ケース１、２を水平な状態に押し上げる方向に付勢しているので、第１、第２鍵盤ケース１、２がその重量で急激に折り畳まれることがなく、ゆっくり安全に折り畳むことができる。この場合にも、第１、第２鍵盤ケース１、２の互い隣接する端部１ａ、２ａには、補助ばね部材２２が設けられており、この補助ばね部材２２が第１、第２鍵盤ケース１、２を水平な状態に押し上げる方向に付勢しているので、より一層、安全に折り畳むことができる。
【００４５】
また、第１、第２鍵盤ケース１、２が折り畳まれるときには、図３および図４に示すように、第１、第２側板部材３、４の各下端部にキャスタ１２がそれぞれ設けられているので、このキャスタ１２が床上を滑らかに転動することにより、第１、第２側板部材３、４を円滑に移動させて接近させることができ、これにより容易に且つ良好に第１、第２鍵盤ケース１、２を折り畳むことができる。なお、第１、第２鍵盤ケース１、２が水平な状態に展開するときにも、キャスタ１２が床上を滑らかに転動することにより、第１、第２側板部材３、４を円滑に移動させて離間させることができ、これにより容易に且つ良好に第１、第２鍵盤ケース１、２を水平な状態に展開させることができる。
【００４６】
（実施形態２）
次に、図１１〜図１３を参照して、この発明を適用した鍵盤楽器の実施形態２について説明する。なお、図１〜図１０に示された実施形態１と同一部分には同一符号を付して説明する。
この鍵盤楽器は、第１、第２鍵盤ケース１、２を支える第１、第２側板部材３、４にカバー部材３０を設けた構成であり、これ以外は実施形態１と同じ構成になっている。
【００４７】
すなわち、カバー部材３０は、図１３に示すように、第１、第２鍵盤ケース１、２を折り畳んで重ね合わせたときに、第１、第２鍵盤ケースを覆って保護するためのものであり、図１１〜図１３に示すように、第１、第２側板部材３、４の各前端部にそれぞれ設けられた一対の前カバー部３１と、第１、第２側板部材３、４の各後端部にそれぞれ設けられた一対の後カバー部３２とを備えている。
【００４８】
この場合、一対の前カバー部３１は、図１１および図１３に示すように、縦方向に長い平板であり、第１、第２側板部材３、４の各前端部から互いに接近する方向（図１１では互いに対向する左右方向）に突出した状態で、第１、第２側板部材３、４の各前端部における上部、つまり第１、第２鍵盤ケース１、２の下面よりも少し高い箇所から第１、第２側板部材３、４の各前端部における下端部に亘って設けられている。
【００４９】
また、この一対の前カバー部３１は、図１１および図１３に示すように、第１、第２側板部材３、４の各前端部から互いに接近する方向に突出する長さが、水平な状態における第１、第２鍵盤ケース１、２の上下方向の厚みとほぼ同じ長さに形成され、図１３に示すように、第１、第２鍵盤ケース１、２を折り畳んで重ね合わせたときに、各内側端部３１ａが互いに当接して第１、第２鍵盤ケース１、２の各前面を覆うように構成されている。
【００５０】
また、この一対の前カバー部３１における各前面には、図１１および図１３に示すように、一対の前カバー部３１を連結固定する締め金具３４が分離可能に取り付けられている。この締め金具３４は、実施形態１のロック部材２５と同じ構成のものであり、第１、第２鍵盤ケース１、２を折り畳んで、一対の前カバー部３１の各内側端部３１ａが互いに当接したときに、図１３に示すように、一対の前カバー部３１をロックするように構成されている。
【００５１】
すなわち、この締め金具３４も、ロック部材２５と同様、第１鍵盤ケース１の前面に設けられた係止突起部２６と、第２鍵盤ケース２の前面に設けられた取付部２７と、この取付部２７に回転可能に取り付けられたフックレバー２８と、このフックレバー２８に取り付けられて第１鍵盤ケース１の係止突起部２６に係脱可能に係合するほぼＵ字形状のフック部２９とを備えている（図１１参照）。
【００５２】
一方、一対の後カバー部３２は、図１２に示すように、第１、第２側板部材３、４の各後端部にそれぞれ一対の前カバー部３１と同様に設けられている。すなわち、この一対の後カバー部３２も、一対の前カバー部３１と同様に構成されていると共に、各裏面にも一対の後カバー部３２をロックするための締め金具（図示せず）が一対の前カバー部３１と同様に設けられている。
【００５３】
このような鍵盤楽器によれば、実施形態１と同様の作用効果があるほか、特に第１、第２鍵盤ケース１、２を折り畳んで重ね合わせたときに、第１、第２鍵盤ケース１、２をカバー部材３０で覆って保護することができる。すなわち、このカバー部材３０は、一対の前カバー部３１と一対の後カバー部３２とを備えているので、図１３に示すように、折り畳まれた第１、第２鍵盤ケース１、２の各前面を一対の前カバー部３１によって覆うことができると共に、折り畳まれた第１、第２鍵盤ケース１、２の各後面を一対の後カバー部３２によって覆うことができる。
【００５４】
また、この鍵盤楽器では、折り畳まれた第１、第２鍵盤ケース１、２をカバー部材３０によって覆ったときに、一対の前カバー部３１および一対の後カバー部３２にそれぞれ設けられた締め金具３５によって、一対の前カバー部３１の各内側端部３１ａと一対の後カバー部３２の各内側端部３２ａとをそれぞれ互いに当接させた状態で、一対の前カバー部３１同士と一対の後カバー部３２同士とをそれぞれ締め付けてロックすることができるので、第１、第２ばね部材２０、２１と補助ばね部材２２との各ばね力によって第１、第２鍵盤ケース１、２が勝手に押し広げられるのを防ぐことができ、これにより、安定した状態でコンパクトに折り畳むことができる。
【００５５】
なお、上記実施形態２では、カバー部材３０が、一対の前カバー部３１と一対の後カバー部３２とを備えている場合について述べたが、第１、第２側板部材３、４の各下端部間にそれぞれ底カバー部を設けた構成でも良く、また必ずしも一対の前カバー部３１と一対の後カバー部３２との両方を備えている必要はなく、少なくとも一対の前カバー部３１のみを備えた構成でも良い。
【００５６】
（実施形態３）
次に、図１４〜図１８を参照して、この発明を適用した鍵盤楽器の実施形態３について説明する。この場合にも、図１〜図１０に示された実施形態１と同一部分に同一符号を付して説明する。
この鍵盤楽器は、第１、第２鍵盤ケース１、２における互いに隣接する端部１ａ、２ａ同士の各上面９ａ、１１ａに、譜面立て部材４０を第１、第２鍵盤ケース１、２の各上面９ａ、１１ａに跨った状態で、折り畳み可能に取り付けた構成であり、これ以外は実施形態１と同じ構成になっている。
【００５７】
すなわち、譜面立て部材４０は、図１４および図１５に示すように、第１鍵盤ケース１の上面９ａに配置される第１譜面立て部４１と、第２鍵盤ケース２の上面１１ａに配置される第２譜面立て部４２とを備え、これら第１、第２譜面立て部４１、４２が第１蝶番４３によって互いに重なり合う方向に折り畳み可能に連結された構成になっている。また、第１、第２譜面立て部４１、４２は、図１５および図１６に示すように、第１、第２鍵盤ケース１、２の各上面９ａ、１１ａにそれぞれ第２蝶番４４によって折り畳み可能に取り付けられている。
【００５８】
この場合、第１譜面立て部４１は、図１５、図１７および図１８に示すように、その下部に第２蝶番４４の一端部４４ａが取り付けられ、第２蝶番４４の他端部４４ｂがねじ軸４５によって第１鍵盤ケース１の上面９ａに回転可能で且つ移動可能に取り付けられている。すなわち、第２蝶番４４の他端部４４ｂには、ねじ軸４５が相対的に移動可能に挿入する横長のガイド孔４６が設けられている。
【００５９】
ねじ軸４５は、図１７および図１８に示すように、第２蝶番４４の他端部４４ｂのガイド孔４６を通して、第１鍵盤ケース１の上面９ａに埋め込まれたナット４７に螺着し、この状態で軽く締め付けることにより、第２蝶番４４の他端部４４ｂを第１鍵盤ケース１の上面９ａに対し回転可能に取り付けると共に、第２蝶番４４の他端部４４ｂをそのガイド孔４６に沿って相対的に移動可能に取り付けている。
【００６０】
また、第２譜面立て部４２も、第１譜面立て部４１と同様、その下部に第２蝶番４４の一端部４４ａが取り付けられ、第２蝶番４４の他端部４４ｂがねじ軸４５によって第２鍵盤ケース２の上面１１ａに対し回転可能で且つ移動可能に取り付けられている。これにより、譜面立て部材４０は、図１５に示すように、第２蝶番４４によって第１、第２譜面立て部４１、４２が第１、第２鍵盤ケース１、２上に起立横倒可能に取り付けられ、第１、第２譜面立て部４１、４２が第１、第２鍵盤ケース１、２上に横倒した状態で、第１、第２鍵盤ケース１、２が折り畳まれるときに、図１６に示すように、第１蝶番４３によって第１、第２譜面立て部４１、４２が折れ曲がって互いに重なるように構成されている。
【００６１】
このような鍵盤楽器によれば、実施形態１と同様の作用効果があるほか、第１、第２鍵盤ケース１、２が水平な状態に展開して配置されたときに、図１４および図１５に示すように、第２蝶番４４によって第１、第２譜面立て部４１、４２を第１、第２鍵盤ケース１、２上に起立させ、この状態でねじ軸４５を第２蝶番４４のガイド孔４６に沿って相対的に移動させることにより、第１、第２譜面立て部４１、４２をそれぞれスライドさせながら、各ねじ軸４５をそれぞれ中心として回転させ、第１、第２譜面立て部４１、４２を第１蝶番４３により「く」の字形状に折り曲げることにより、第１、第２鍵盤ケース１、２上に第１、第２譜面立て部４１、４２を起立させることができる。これにより、起立した譜面立て部材４０に譜面を立て掛けることができるので、譜面を見ながら良好に演奏することができる。
【００６２】
また、第１、第２鍵盤ケース１、２を折り畳むときには、図１６に示すように、第２蝶番４４によって第１、第２譜面立て部４１、４２を第１、第２鍵盤ケース１、２上に横倒させ、この状態で第１、第２鍵盤ケース１、２を折り畳むと、第１、第２譜面立て部４１、４２が第１蝶番４３によって折れ曲がるので、第１、第２譜面立て部４１、４２を互いに重ね合わせることができる。これにより、譜面立て部材４０を取り外す必要がなく、第１、第２鍵盤ケース１、２に取り付けた状態で、譜面立て部材４０を第１、第２鍵盤ケース１、２上に起立させたり、折り畳んだりすることができるので、使い勝手の良いものを得ることができる。
【００６３】
なお、上記実施形態３においても、実施形態２と同様、第１、第２側板部材３、４にカバー部材３０を設けても良い。この場合にも、カバー部材３０は、第１、第２側板部材３、４の各前端部にそれぞれ設けられた一対の前カバー部３１と、第１、第２側板部材３、４の各後端部にそれぞれ設けられた一対の後カバー部３２とを備えた構成でも良く、また第１、第２側板部材３、４の各下端部間にそれぞれ底カバー部を更に設けた構成でも良く、また必ずしも一対の前カバー部３１と一対の後カバー部３２との両方を備えている必要はなく、少なくとも一対の前カバー部３１のみを備えた構成でも良い。
【００６４】
また、上記実施形態１〜３では、一対の第２ヒンジ部材６、７と第１ヒンジ部材５とにそれぞれ対応する複数箇所の全てに、それぞれ第１、第２ばね部材２０、２１および補助ばね部材２２を設けた場合について述べたが、これに限らず、一対の第２ヒンジ部材６、７と第１ヒンジ部材５とにそれぞれ対応する複数箇所のうち、いずれか１箇所のみに第１、第２ばね部材２０、２１および補助ばね部材２２のいずれかを設けた構成でも良い。例えば、一対の第２ヒンジ部材６、７に対応する箇所のみに、それぞれ第１、第２ばね部材２０、２１を設けた構成でも良く、また第１ヒンジ部材５に対応する箇所のみに、補助ばね部材２２を設けた構成でも良い。
【００６５】
（実施形態４）
次に、図１９〜図２１を参照して、この発明を適用した鍵盤楽器の実施形態４について説明する。この場合にも、図１〜図１０に示された実施形態１と同一部分に同一符号を付して説明する。
この鍵盤楽器は、第１ヒンジ部材５０と一対の第２ヒンジ部材５１とがそれぞれ制動機能部であるダンパ機能を備えた構成であり、これ以外は実施形態１と同じ構成になっている。
【００６６】
すなわち、第１ヒンジ部材５０は、実施形態１と同様、第１、第２鍵盤ケース１、２の互いに隣接する端部１ａ、２ａ同士に跨って取り付けられている。この第１ヒンジ部材５０は、図２０および図２１に示すように、第１トルクヒンジ部５２と第２トルクヒンジ部５３とを備え、これら第１、第２トルクヒンジ部５２、５３が第１、第２鍵盤ケース１、２の互いに隣接する端部１ａ、２ａ同士に跨って取り付けられている。この場合、第１、第２トルクヒンジ部５１、５２は、ヒンジカバー部５０ａによって覆われていると共に、その前後端部にはヒンジキャップ５０ｂがそれぞれ取り付けられている。
【００６７】
また、第１、第２トルクヒンジ部５２、５３は、図２０および図２１に示すように、それぞれ第１、第２ヒンジ本体５４、５５と、この第１、第２ヒンジ本体５４、５５の軸中心に設けられた第１、第２回転軸５６、５７とを有し、第１、第２回転軸５６、５７が同一軸上に配置されていると共に、第１、第２ヒンジ本体５４、５５によって第１、第２回転軸５６、５７に摩擦による負荷が加わった状態で第１、第２回転軸５６、５７が第１、第２ヒンジ本体５４、５５に回転可能な状態で取り付けられた構成になっている。
【００６８】
これにより、第１、第２トルクヒンジ部５２、５３は、これらを回転支点として第１、第２鍵盤ケース１、２を相対的に回転させるときに、第１、第２ヒンジ本体５４、５５によって第１、第２回転軸５６、５７に摩擦による負荷が加わっていることにより、その摩擦による負荷に抗するトルクが発生し、このトルクによって第１、第２鍵盤ケース１、２の回転動作を制動するように構成されている。なお、第１、第２トルクヒンジ部５２、５３は、その内部に粘度指数が極めて高いオイルが充填され、このオイルの粘性により摩擦による摩耗や異音による騒音の発生を防ぐように構成されている。
【００６９】
ところで、第１トルクヒンジ部５２は、図２０および図２１に示すように、第１、第２鍵盤ケース１、２の各上部における後部側（図２０では上辺部側）に位置し、その第１回転軸５６の一端部（図２１では上端部）が第１ヒンジ本体５４の後端面（図２１では上端面）から第１、第２鍵盤ケース１、２の後部側に向けて突出した状態で取り付けられた構成になっている。第２トルクヒンジ部５３は、第１、第２鍵盤ケース１、２の各上部における前部側（図２０では下辺部側）に位置し、その第２回転軸５７の一端部（図２１では下端部）が第２ヒンジ本体５５の前端面（図２１では下端面）から第１、第２鍵盤ケース１、２の各上部における前部側に向けて突出した状態で取り付けられた構成なっている。
【００７０】
また、第１、第２トルクヒンジ部５２、５３は、図２０および図２１に示すように、第１鍵盤ケース１内に取り付けられた第１取付部材６０と、第２鍵盤ケース２内に取り付けられた第２取付部材６１とによって第１、第２鍵盤ケース１、２に取り付けられている。すなわち、第１取付部材６０は、第１ヒンジ本体５４が取り付けられる第１取付板６０ａと、第２ヒンジ本体５５が取り付けられる第２取付板６０ｂとを備えている。
【００７１】
この第１取付板６０ａは、金属板をほぼＬ字形状に折り曲げたものであり、第１ヒンジ本体５４がボルト５４ａによって取り付けられている。第２取付板６０ｂも、金属板をほぼＬ字形状に折り曲げたものであり、第２ヒンジ本体５５がボルト５５ａによって取り付けられている。そして、第１、第２取付板６０ａ、６０ｂは、その各他端部が互いに重なり合って取り付けられ、この状態で第１鍵盤ケース１内に取り付けられ、これにより第１、第２ヒンジ本体５４、５５を第１鍵盤ケース１に対し固定している。
【００７２】
第２取付部材６１は、第１回転軸５６が取り付けられる第３取付板６１ａと、第２回転軸５７が取り付けられる第４取付板６１ｂと、第３、第４取付板６１ａ、６１ｂを連結する連結板６１ｃとを備えている。第３取付板６１ａは、帯状の金属板からなり、第１回転軸５６の一端部（図２１では上端部）が第２鍵盤ケース２に対し相対的に回転しないように取り付けられている。
【００７３】
第４取付板６１ｂは、帯状の金属板をクランク状に折り曲げたものであり、第２回転軸５７の一端部（図２１では下端部）が第２鍵盤ケース２に対し相対的に回転しないように取り付けられている。そして、第３、第４取付板６１ａ、６１ｂは、それぞれ連結板６１ｃによって連結された状態で、第２鍵盤ケース２内に取り付けられ、これにより第１、第２回転軸５６、５７を第２鍵盤ケース２に対し固定している。
【００７４】
一方、一対の第２ヒンジ部材５１は、実施形態１と同様、第１、第２側板部材３、４の互いに対向する各内面に、第１、第２鍵盤ケース１、２の両側に位置する各端部１ｂ、２ｂを上下方向に回転可能に連結するものであり、第１ヒンジ部材５０と同じ構成になっている。
【００７５】
すなわち、左側に位置する第２ヒンジ部材５１は、第１鍵盤ケース１の下面における左端部とこれに対応する第１側板部材３の内面とを回転可能に連結するものであり、第１ヒンジ部材５０と同様、第１鍵盤ケース１の回転動作に負荷を与えて、その回転動作を制動するように構成されている。また、右側に位置する第２ヒンジ部材５１は、第２鍵盤ケース２の下面における右端部と第２側板部材４の内面とを連結ものであり、第１ヒンジ部材５０と同様、第２鍵盤ケース２の回転動作に負荷を与えて、その回転動作を制動するように構成されている。
【００７６】
このような鍵盤楽器によれば、実施形態１と同様の作用効果がある。すなわち、使用するときに、第１ヒンジ部材５０および一対の第２ヒンジ部材５１をそれぞれ回転支点として、２つに分割された第１、第２鍵盤ケース１、２を第１、第２側板部材３、４間でそれぞれ回転させながら展開させることにより、従来例のように机などの載置台を用意する必要がなく、第１、第２側板部材３、４を押し広げて、図１９に示すように、第１、第２鍵盤ケース１、２を一対の第１、第２側板部材３、４間に水平な状態で連続させることがきる。
【００７７】
この場合、２つに分割された第１、第２鍵盤ケース１、２を第１、第２側板部材３、４間で回転させるときには、第１ヒンジ部材５０の第１、第２トルクヒンジ部５２、５３と、一対の第２ヒンジ部材５１の第１、第２トルクヒンジ部５２、５３とが、第１、第２鍵盤ケース１、２の回転動作に対し負荷を与えているので、第１、第２鍵盤ケース１、２の重量が重くても、第１ヒンジ部材５０の第１、第２トルクヒンジ部５２、５３と、一対の第２ヒンジ部材５１の第１、第２トルクヒンジ部５２、５３との各制動力によって、軽い力で安全に押し上げることができる。
【００７８】
また、使用しないときに、第１、第２鍵盤ケース１、２を折り畳む際にも、第１ヒンジ部材５０の第１、第２トルクヒンジ部５２、５３と、一対の第２ヒンジ部材５１の第１、第２トルクヒンジ部５２、５３とが、第１、第２鍵盤ケース１、２の回転動作に対し負荷を加えて制動するので、第１、第２鍵盤ケース１、２がその重量で急激に折り畳まれることがなく、ゆっくり安全に折り畳むことができる。
【００７９】
なお、上記実施形態４では、第１ヒンジ部材５０と一対の第２ヒンジ部材５１とがそれぞれ制動機能部であるダンパ機能を有する第１トルクヒンジ部５２と、これと同じ機能を有する第２トルクヒンジ部５３とを備えた構成である場合について述べたが、これに限らず、第１ヒンジ部材５０と一対の第２ヒンジ部材５１とのうち、いずれか１つのみをダンパ機能を有する第１トルクヒンジ部５２と、これと同じ機能を有する第２トルクヒンジ部５３とを備えた構成にしても良い。
【００８０】
例えば、一対の第２ヒンジ部材５１をそれぞれダンパ機能を有する第１トルクヒンジ部５２と、これと同じ機能を有する第２トルクヒンジ部５３とを備えた構成にしても良く、また第１ヒンジ部材５０のみをダンパ機能を有する第１トルクヒンジ部５２と、これと同じ機能を有する第２トルクヒンジ部５３とを備えた構成にしても良い。
【００８１】
また、上記実施形態４では、第１ヒンジ部材５０と一対の第２ヒンジ部材５１とがそれぞれ制動機能部であるダンパ機能を有する第１トルクヒンジ部５２と、これと同じ機能を有する第２トルクヒンジ部５３とを備えた構成である場合について述べたが、これに限らず、第１トルクヒンジ部５２と第２トルクヒンジ部５３とのいずれか一方のみを備えた構成でも良い。
【００８２】
また、上記実施形態４においても、実施形態２と同様、第１、第２側板部材３、４にカバー部材３０を設けた構成にしても良い。この場合にも、カバー部材３０は、第１、第２側板部材３、４の各前端部にそれぞれ設けられた一対の前カバー部３１と、第１、第２側板部材３、４の各後端部にそれぞれ設けられた一対の後カバー部３２とを備えた構成でも良く、また第１、第２側板部材３、４の各下端部間にそれぞれ底カバー部を更に設けた構成でも良く、また必ずしも一対の前カバー部３１と一対の後カバー部３２との両方を備えている必要はなく、少なくとも一対の前カバー部３１のみを備えた構成でも良い。
【００８３】
さらに、上記実施形態４においても、実施形態３と同様、譜面立て部材３６を第１、第２鍵盤ケース１、２の互いに隣接する端部１ａ、２ａ同士の各上面９ａ、１１ａに、その両方に跨った状態で、折り畳み可能に取り付けた構成でも良い。
【図面の簡単な説明】
【００８４】
【図１】この発明を適用した鍵盤楽器の実施形態１における正面図である。
【図２】図１の鍵盤楽器の平面図である。
【図３】図１の状態において第１、第２鍵盤ケースを折り畳む途中の状態を示した鍵盤楽器の正面図である。
【図４】図３の状態において第１、第２鍵盤ケースを折り畳んで重ね合わせた状態を示した鍵盤楽器の正面図である。
【図５】図２のＡ−Ａ矢視における要部の拡大断面図である。
【図６】図５の状態において第１、第２鍵盤ケースを折り畳む途中の状態を示した要部の拡大断面図である。
【図７】図６の状態において第１、第２鍵盤ケースを折り畳んで重ね合わせた状態を示した要部の拡大断面図である。
【図８】図２のＢ−Ｂ矢視における要部の拡大断面図である。
【図９】図８の状態において第１、第２鍵盤ケースを折り畳む途中の状態を示した要部の拡大断面図である。
【図１０】図９の状態において第１、第２鍵盤ケースを折り畳んで重ね合わせた状態を示した要部の拡大断面図である。
【図１１】この発明を適用した鍵盤楽器の実施形態２における正面図である。
【図１２】図１１の鍵盤楽器の平面図である。
【図１３】図１１の状態において第１、第２鍵盤ケースを折り畳んで重ね合わせた状態を示した鍵盤楽器の正面図である。
【図１４】この発明を適用した鍵盤楽器の実施形態３における正面図である。
【図１５】図１４の譜面立て部材を示した斜視図である。
【図１６】図１５の譜面立て部材を横倒させて第１、第２鍵盤ケースを折り畳む途中の状態を示した要部の斜視図である。
【図１７】図１５において第２蝶番によって譜面立て部材を第１鍵盤ケースに取り付ける構造を示した要部の斜視図である。
【図１８】図１７のＣ−Ｃ矢視における要部の拡大断面図である。
【図１９】この発明を適用した鍵盤楽器の実施形態４における正面図である。
【図２０】図１９の第１ヒンジ部材の箇所において一部分解した状態を示した要部の拡大平面図である。
【図２１】図２０において第１ヒンジ部材の内部構造を示した要部の拡大平面図である。
【符号の説明】
【００８５】
１、２  第１、第２鍵盤ケース
１ａ、２ａ  第１、第２鍵盤ケースの隣接する端部
３、４  第１、第２側板部材
５、５０  第１ヒンジ部材
６、７、５１  一対の第２ヒンジ部材
８、１０  第１、第２鍵盤部
８ａ、１０ａ  鍵
９ａ、１１ａ  第１、第２鍵盤ケースの隣接する上面
１２  キャスタ
２０、２１  第１、第２ばね部材
２２  補助ばね部材
２５  ロック部材
３０  カバー部材
３４  締め金具
４０  譜面立て部材
４１、４２  第１、第２譜面立て部
４３  第１蝶番
４４  一対の第２蝶番
５２、５３  第１、第２トルクヒンジ部
６０、６１  第１、第２取付部材
【図１】
2008233887.tif 000003
【図２】
2008233887.tif 000004
【図３】
2008233887.tif 000005
【図４】
2008233887.tif 000006
【図５】
2008233887.tif 000007
【図６】
2008233887.tif 000008
【図７】
2008233887.tif 000009
【図８】
2008233887.tif 000010
【図９】
2008233887.tif 000011
【図１０】
2008233887.tif 000012
【図１１】
2008233887.tif 000013
【図１２】
2008233887.tif 000014
【図１３】
2008233887.tif 000015
【図１４】
2008233887.tif 000016
【図１５】
2008233887.tif 000017
【図１６】
2008233887.tif 000018
【図１７】
2008233887.tif 000019
【図１８】
2008233887.tif 000020
【図１９】
2008233887.tif 000021
【図２０】
2008233887.tif 000022
【図２１】
2008233887.tif 000023
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
屈曲点を中心に屈曲動作を行う第一の本体および第二の本体に取り付けられ、かつ弾性部材の付勢力により前記屈曲動作を緩衝する緩衝装置において、
前記弾性部材は、その一端が前記第一の本体に摺動自在に取り付けられるとともに他端が前記第二の本体に取り付けられ、当該一端及び他端の間にコイル部を有して成り、
前記本体が屈曲動作を行ったときに、前記弾性部材のコイル部が弾性変形するとともに、一端が前記第一の本体に対して摺動することを特徴とする緩衝装置。
【請求項２】
屈曲点を中心に屈曲動作を行う第一の本体および第二の本体に取り付けられ、かつ弾性部材の付勢力により前記屈曲動作を緩衝する緩衝装置において、
前記弾性部材は、その一端が前記第一の本体に摺動自在に取り付けられるとともに他端が前記第二の本体に取り付けられ、当該一端及び他端の間にコイル部を有して成り、
さらに前記コイル部を支持する支持部を有する補強体を有し、
前記補強体は前記第二の本体に取り付けられるとともに、前記屈曲動作を行ったときに、前記支持部が前記弾性部材の前記コイル部を協動させることに伴って当該弾性部材の一端を前記第一の本体に対して摺動させることを特徴とする緩衝装置。
【請求項３】
前記支持部は、前記屈曲点をまたいで前記第一の本体側に突出して形成されていることを特徴とする前記請求項２に記載の緩衝装置。
【請求項４】
前記コイル部は複数のコイルから形成されたことを特徴とする前記請求項１および２に記載の緩衝装置
【手続補正３】
【補正対象書類名】明細書
【補正対象項目名】０００１
【補正方法】変更
【補正の内容】
【０００１】
この発明は、電子ピアノなどの折り畳み式の鍵盤楽器などに用いられる緩衝装置に関する。
【手続補正４】
【補正対象書類名】明細書
【補正対象項目名】０００４
【補正方法】変更
【補正の内容】
【０００４】
この発明が解決しようとする課題は、使用するときに机などの載置台を用意する必要がなく、押鍵操作時に鍵盤本来の鍵タッチ感を得ることができ、使用しないときにコンパクトに折り畳むことができる鍵盤楽器などに用いられる緩衝装置を提供することである。
【手続補正５】
【補正対象書類名】明細書
【補正対象項目名】０００５
【補正方法】変更
【補正の内容】
【０００５】
この発明は、上記課題を解決するために、次のような構成要素を備えている。
請求項１に記載の発明は、屈曲点を中心に屈曲動作を行う第一の本体および第二の本体に取り付けられ、かつ弾性部材の付勢力により前記屈曲動作を緩衝する緩衝装置において、前記弾性部材は、その一端が前記第一の本体に摺動自在に取り付けられるとともに他端が前記第二の本体に取り付けられ、当該一端及び他端の間にコイル部を有して成り、前記本体が屈曲動作を行ったときに、前記弾性部材のコイル部が弾性変形するとともに、一端が前記第一の本体に対して摺動することを特徴とする。
【手続補正６】
【補正対象書類名】明細書
【補正対象項目名】０００６
【補正方法】変更
【補正の内容】
【０００６】
請求項２に記載の発明は、屈曲点を中心に屈曲動作を行う第一の本体および第二の本体に取り付けられ、かつ弾性部材の付勢力により前記屈曲動作を緩衝する緩衝装置において、前記弾性部材は、その一端が前記第一の本体に摺動自在に取り付けられるとともに他端が前記第二の本体に取り付けられ、当該一端及び他端の間にコイル部を有して成り、さらに前記コイル部を支持する支持部を有する補強体を有し、前記補強体は前記第二の本体に取り付けられるとともに、前記屈曲動作を行ったときに、前記支持部が前記弾性部材の前記コイル部を協動させることに伴って当該弾性部材の一端を前記第一の本体に対して摺動させることを特徴とする。
【手続補正７】
【補正対象書類名】明細書
【補正対象項目名】０００７
【補正方法】変更
【補正の内容】
【０００７】
請求項３に記載の発明は、前記支持部は、前記屈曲点をまたいで前記第一の本体側に突出して形成されていることを特徴とする請求項２に記載の緩衝装置である。
【手続補正８】
【補正対象書類名】明細書
【補正対象項目名】０００８
【補正方法】変更
【補正の内容】
【０００８】
請求項４に記載の発明は、前記コイル部は複数のコイルから形成されたことを特徴とする前記請求項１および２に記載の緩衝装置である。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
この発明によれば、使用するときに、第１、第２ヒンジ部材をそれぞれ回転支点として、２つに分割された鍵盤ケースを一対の側板部材間でそれぞれ回転させながら展開させることにより、机などの載置台を用意する必要がなく、２つの鍵盤ケースを一対の側板部材間に水平な状態で連続させることがきる。これにより、２つの鍵盤ケースにそれぞれ設けられた各鍵盤部を水平な状態に連続させることができるので、各鍵盤部の鍵を押鍵操作して上下に回転させて良好に演奏することができ、これにより鍵が上下に回転する鍵盤本来の鍵タッチ感を得ることができる緩衝装置が提供できる。
【手続補正１２】
【補正対象書類名】明細書
【補正対象項目名】００１３
【補正方法】変更
【補正の内容】
【００１３】
この場合、２つに分割された鍵盤ケースを一対の側板部材間でそれぞれ回転させるときには、鍵盤ケースの重量が重くても、緩衝装置としての制動機能部による制動力により軽い力で安全に押し上げたり押し下げたりすることができる。また、２つの鍵盤ケースが水平な状態に展開したときには、ロック部材で２つの鍵盤ケースの互いに隣接する端部同士をロックすることにより、安全に且つ良好に各鍵盤部に設けられた各鍵を押鍵操作することができる。